(57)【特許請求の範囲】
【請求項１】
有底筒状で底部が破断可能に形成され底部を破断することによりケーブルを挿通させることが可能なケーブル挿通部を有する全体がゴムによって形成されたグロメットであって、
前記ケーブル挿通部を複数個一列に並設して一体化する連結部を設け、この連結部にスイッチが押圧操作されるための可撓性を有する操作部を一体に連設したことを特徴とするグロメット。
【請求項２】
共に一面が開口し箱状に形成された第１および第２のケースを備え、前記両ケースを互いの開口端を対接させ合体させることにより筺体を形成し、前記両ケースの互いの開口端に請求項１記載のグロメットを取り付ける電子機器の防水構造であって、
前記連結部に押圧溝を設け、
前記第１のケースの前記開口端に前記ケーブル挿通部が嵌合する凹部を設け、
前記第２のケースの前記開口端に、前記第１および第２のケースを合体させることにより前記ケーブル挿通部を前記凹部に嵌合する方向に前記押圧溝の底部を押圧するリブを設けたことを特徴とする電子機器の防水構造。
【発明の詳細な説明】
【技術分野】
【０００１】
本発明は、防水機能を有するグロメットおよびそれを使用した電子機器の防水構造に関するものである。
【背景技術】
【０００２】
従来のグロメットとしては、ケーブル挿通部を有底筒状で底部が破断可能に形成したものがあり、ケーブルを挿通させる必要がある場合は底部を破断して使用し、ケーブルを挿通させる必要がない場合は底部が防水構造として機能するものがある（例えば、特許文献１参照）。このグロメットはロアーケースのＵ字状溝に嵌合され、アッパーケースをロアーケースに合体させたときに、ロアーケースの開口端がグロメットの鍔に対接することによってＵ字状溝からの脱落が規制される。
【特許文献１】特開２００５−２０９４０５号公報
【発明の開示】
【発明が解決しようとする課題】
【０００３】
上述した従来のグロメットにおいては、ケーブル挿通部が一つしか設けられていないため、複数本のケーブルを筺体から導出する必要が生じた場合は、ケーブルの本数に対応した数のグロメットが必要になるだけではなく、筺体の構造も変更しなければならないため製造コストが嵩むという問題があった。また、電子機器を操作するスイッチ類が設けられている場合は、筺体の防水機能を損なわないようにするために、スイッチ類を防水部材等で専用に覆う特別な構造を必要としていたため、製造コストが嵩むという問題があった。
【０００４】
本発明は上記した従来の問題に鑑みなされたものであり、その目的とするところは、製造コストを低減させたグロメットおよびそれを使用した電子機器の防水構造を提供するところにある。
【課題を解決するための手段】
【０００５】
この目的を達成するために、本発明は、有底筒状で底部が破断可能に形成され底部を破断することによりケーブルを挿通させることが可能なケーブル挿通部を有する全体がゴムによって形成されたグロメットであって、前記ケーブル挿通部を複数個一列に並設して一体化する連結部を設け、この連結部にスイッチが押圧操作されるための可撓性を有する操作部を一体に連設したものである。
【０００６】
本発明は、共に一面が開口し箱状に形成された第１および第２のケースを備え、前記両ケースを互いの開口端を対接させ合体させることにより筺体を形成し、前記両ケースの互いの開口端に前記発明のグロメットを取り付ける電子機器の防水構造であって、前記連結部に押圧溝を設け、前記第１のケースの前記開口端に前記ケーブル挿通部が嵌合する凹部を設け、前記第２のケースの前記開口端に、前記第１および第２のケースを合体させることにより前記ケーブル挿通部を前記凹部に嵌合する方向に前記押圧溝の底部を押圧するリブを設けたものである。
【発明の効果】
【０００７】
本発明によれば、導出するケーブルの本数に変化があっても一つのグロメットで対応することが可能になるため、グロメットの汎用性が高くなるばかりかグロメットを装着する筺体の共通化を図ることができるから製造コストを低減することができる。また、複数のケーブル挿通部のうちからケーブルの導出位置を選択することができるため、筺体内におけるケーブルの配線設計に自由度が増す。筺体内部に設けたスイッチを操作する操作部をグロメットに一体に設けたことにより、操作部専用の防水構造を設ける必要がないため、製造コストを低減することができる。
【０００８】
前記発明のうちの一つの発明によれば、ケースに形成したリブによって押圧する部位を、ケーブルを通すために底部が破断し易いように底部の厚みを薄く形成し剛性が低いケーブル挿通部としないで、変形しにくい連結部としたことにより、グロメットとケースの凹部との間の密閉性が高くなるため防水性が向上する。
【発明を実施するための最良の形態】
【０００９】
以下、本発明の実施の形態を図１ないし図７に基づいて説明する。図１および図２に全体を符号１で示すグロメットは、一列に並設された四個のケーブル挿通部２Ａないし２Ｄと、ケーブル挿通部２Ａ，２Ｂを連結する鍔３Ａと、ケーブル挿通部２Ｃ，２Ｄを連結する鍔３Ｂと、鍔３Ａ，３Ｂを介してケーブル挿通部２Ａないし２Ｄを連結する連結部４と、この連結部４に鍔５を介して連設された操作部６とからなり、全体がゴムによって一体に形成されている。
【００１０】
ケーブル挿通部２Ａないし２Ｄは有底角筒状に形成されており、底部２ａが、図１（Ｃ）に示すように破断が容易に行えるように薄く形成されている。連結部４は、ケーブル挿通部２Ａないし２Ｄよりも相対的に厚く細長い略直方体状に形成されており、ケーブル挿通部２Ａないし２Ｄの中央部に対応した位置と操作部６の両端部に対応した位置とに合計六個の押圧溝７Ａないし７Ｆが設けられている。
【００１１】
これら押圧溝７Ａないし７Ｆは、図１（Ｂ）に示すように、上方に開口７ａと、開口７ａよりも狭い幅に形成された底部７ｂとを備え正面視において略台形状に形成されており、背面部７ｃが、図１（Ａ）、（Ｃ）に示すように連結部４によって閉塞されている。底部７ｂは、図１（Ｂ）に示すようにケーブル挿通部２Ａないし２Ｄの上端面よりもわずかな距離δだけ上方に位置付けられている。
【００１２】
操作部６は扁平な円柱状に形成され、図１（Ｄ）および図２（Ａ）に示すようにリング状で厚みが薄く形成された可撓性を有する支持部５ａを介して鍔５に連結されており、裏面の中央部に円柱状に形成された押圧部６ａが一体に突設されている。したがって、操作部６を矢印Ａ方向に指等によって押圧することによって支持部５ａが弾性変形し、押圧部６ａが矢印Ａ方向に移動する。
【００１３】
図３において１０は電子機器であって、図４に示すように、共に一面が開口した第１のケース１１および第２のケース１２とによって筺体が形成される。第１のケース１１の後板１３の内側にはスタッド１４，１４が一体に突設されているとともに、底板１５に対向する対向壁１６が一体に突設されている。この対向壁１６と底板１５との間には、グロメット１の鍔３Ａ，３Ｂ，５が係入される係入溝１６ａが設けられている。底板１５の開口端１５ａには、図６（Ｂ）に示すようにグロメット１のケーブル挿通部２Ａないし２Ｄのそれぞれが嵌合される凹部としての第１のＵ字状溝７Ａないし７Ｄと操作部６が露呈する第２のＵ字状溝１８とが設けられている。
【００１４】
図４において、２０はスタッド２１を介して第１のケース１１の後板１３に固定されたプリント基板であって、図５（Ｂ）に示すように操作部６の押圧部６ａによって動作されるスイッチ２２が実装されている。
【００１５】
第２のケース１２の底板２５には、図４および図７に示すように第１のケース１１の開口端１５ａに対接する開口端２５ａが設けられている。第１のケース１１の前板２６の底板２５側の端部には、後述するように第１のケース１１の第１のＵ字溝１７Ａないし１７Ｄにケーブル挿通部２Ａないし２Ｄが嵌合されたグロメット１の押圧溝７Ａないし７Ｆに挿入され、下端が底板２５の開口端２５ａまで延設された６本のリブ２７が一体に突設されている。また、底板２５の開口端２５ａは、開口端２５ａを第１のケース１１の開口端１５ａに対接させたとき、図７に示すようにグロメット１の各ケーブル挿通部２Ａないし２Ｄの上端面に対接する。
【００１６】
第１のケース１１と第２のケース１２とは、互いに開口端１５ａ，２５ａを対接させた状態で、図４に示すようにねじ３０，３０を第１のケース１１のスタッドに螺合させることにより、合体され電子機器１０の筺体が形成される。
【００１７】
次に、このように構成されたグロメット１を第１のケース１１の開口端１５ａと第２のケース１２の開口端２５ａとに装着する方法について説明する。第１のケース１１の係入溝１６ａに、図４および図５に示すようにグロメット１の鍔３Ａ，３Ｂ，５を係入させることにより、図６（Ｂ）に示すようにグロメット１のケーブル挿通部２Ａないし２Ｄを第１のケース１１の第１のＵ字状溝１７Ａないし１７Ｄに嵌合させるとともに、操作部６を第２のＵ字状溝１８から露呈させる。
【００１８】
次いで、第１のケース１１の開口端１５ａに第２のケース１２の開口端２５ａを対接させ、図７に示すように第２のケース１２のリブ２７をグロメット１の押圧溝７Ａないし７Ｆに係入させる。この状態で、図４に示すようにねじ３０，３０を第１のケース１１のスタッドに螺合させることにより、第１および第２のケース１１，１２が合体され電子機器１０の筺体が形成される。このとき、リブ２７の下端が押圧溝７Ａないし７Ｄの底部７ｂを下方に押圧するので、グロメット１も下方に押圧される。
【００１９】
ここで、上述したように、底部７ｂはケーブル挿通部２Ａないし２Ｄの上端面よりもわずかな距離δだけ上方に位置付けられており、リブ２７の下端は底板２５の開口端２５ａまで延設されているので、リブ２７によってグロメット１を下方に押圧する力は、第２のケース１２の開口端２５ａによってグロメット１を下方に押圧する力よりも相対的に大きくなる。このため、グロメット１のケーブル挿通部２Ａないし２Ｄを第１のケース１１の第１のＵ字状溝１７Ａないし１７Ｄに嵌合させる力が大きくなるから、ケーブル挿通部２Ａないし２Ｄと第１のＵ字状溝１７Ａないし１７Ｄとの間の水密性が高くなり防水性が向上する。
【００２０】
しかも、リブ２７によって押圧する部位を、ケーブルを通すために底部２ａが破断し易いように底部２ａの厚みを薄く形成し剛性が低いケーブル挿通部２Ａないし２Ｄとしないで、剛性が充分得られる厚みに形成し変形しにくい連結部４としたことにより、ケーブル挿通部２Ａないし２Ｄと第１のＵ字状溝１７Ａないし１７Ｄとの間の水密性がより高くなる。
【００２１】
このようにグロメット１を第１のケース１１の開口端１５ａと第２のケース１２の開口端２５ａとに装着することにより、図５（Ｂ）に示すように操作部６の押圧部６ａがスイッチ２２に対向するため、筺体の外部から操作部６を矢印Ａ方向に押圧することにより、押圧部６ａによってスイッチ２２を動作させることができる。
【００２２】
このように構成されたグロメット１は複数のケーブル挿通部２Ａないし２Ｄを有しているため、導出するケーブルの本数に変化があっても一つのグロメット１で対応することが可能になるため、グロメットの汎用性が高くなるばかりかグロメットを装着する筺体の共通化を図ることができるから製造コストを低減することができる。また、複数のケーブル挿通部２Ａないし２Ｄのうちからケーブルの導出位置を選択することができるため、筺体内におけるケーブルの配線設計に自由度が増す。
【００２３】
また、筺体内部に設けたスイッチ２２を操作する操作部６をグロメット１に一体に設けたことにより、操作部６専用の防水構造を設ける必要がないため、製造コストを低減することができる。
【図面の簡単な説明】
【００２４】
【図１】本発明に係るグロメットを示し、同図（Ａ）は平面図、同図（Ｂ）は同図（Ａ）における I（Ｂ）矢視図、同図（Ｃ）は同図（Ｂ）におけるI（Ｃ）-I（Ｃ） 断面図、同図（Ｄ）は同図（Ｂ）におけるI（Ｄ）-I（Ｄ） 断面図である。
【図２】同図（Ａ）は正面側から視た本発明に係るグロメットの斜視図、同図（Ｂ）は裏面側から視た本発明に係るグロメットの斜視図である。
【図３】本発明に係るグロメットが装着された電子機器の平面図である。
【図４】図３におけるIV-IV 線断面図である。
【図５】同図（Ａ）は図３におけるV（Ａ）-V（Ａ） 線断面図、同図（Ｂ）は図３におけるV（Ｂ）-V（Ｂ） 線断面図である。
【図６】同図（Ａ）は本発明に係るグロメットを装着した状態の電子機器における第２のケースを取り外した状態を示す要部の平面図、同図（Ｂ）は同図（Ａ）におけるVI（Ｂ）矢視図である。
【図７】本発明に係るグロメットを装着した状態の電子機器において、第１および第２のケースを合体させた状態を示す図６（Ａ）におけるVI（Ｂ）矢視図である。
【符号の説明】
【００２５】
１…グロメット、２Ａないし２Ｄ…ケーブル挿通部、２ａ…底部、４…連結部、６…操作部、７Ａないし７Ｆ…押圧溝、７ｂ…底部、１０…電子機器、１１…第１のケース、１２…第２のケース、１５ａ，２５ａ…開口端、１７Ａないし１７Ｄ…第１のＵ字状溝（凹部）、２２…スイッチ、２７…リブ。
【図１】
0005130982.tif 000002
【図２】
0005130982.tif 000003
【図３】
0005130982.tif 000004
【図４】
0005130982.tif 000005
【図５】
0005130982.tif 000006
【図６】
0005130982.tif 000007
【図７】
0005130982.tif 000008